(57)【特許請求の範囲】
【請求項１】
内巻きされたホースを収納するホース収納部及び該ホース収納部に収納されたホースを引き出すための中央開口部を備えた箱状の本体と、該本体の前面に設けられると共に前記中央開口部の前方に開口部を有する前面パネルと、該前面パネルの開口部に開閉可能に設けられた消火栓扉と、該消火栓扉の背面側又は前記本体内に設けられて消火ノズルを着脱可能に固定するノズル固定部を備えた消火栓装置において、
前記前面パネルを、その下辺を支点として前方に傾動可能に構成すると共に、前記前面パネルが前記本体の前記中央開口部を閉鎖した状態を保持し、かつ該保持を解除可能に設けられた前面パネル保持機構と、前記前面パネルが下辺を支点として所定の角度で傾動した状態を保持する傾動状態保持機構を設けたことを特徴とする消火栓装置。
【請求項２】
前記傾動状態保持機構は、一端側が前記本体に固定され、他端側が前記前面パネルに固定された、紐、鎖、又はリンク部材からなることを特徴とする請求項１記載の消火栓装置。
【請求項３】
前記ホースに消火水を供給する消火水供給管路に設けられた消火栓弁と、前記消火栓弁を開閉操作する消火栓弁操作部とを備え、前記消火栓弁操作部は前記前面パネルを前方に所定の角度で傾動させたときに前記前面パネルと前記本体との間に形成される隙間から操作可能であることを特徴とする請求項１又は２に記載の消火栓装置。
【請求項４】
前記本体における背面側に設けられて、少なくとも消火器が取り出せる大きさの背面消火器扉を設けたことを特徴とする請求項１乃至３のいずれか一項に記載の消火栓装置。
【発明の詳細な説明】
【技術分野】
【０００１】
本発明は、トンネル等に設置される消火栓装置に関する。
【背景技術】
【０００２】
トンネル内に消火栓装置を設置する場合、例えば特許文献１の図３に示されているように、監査路上の壁に箱抜き加工を行い、前記壁に埋め込むように設置されるのが一般的である。
また、特許文献１の消火栓装置においては、前面パネルに前方に向かって略１８０°回動して開放する消火栓扉を設け、この消火栓扉の背面側に消火用ノズルを着脱可能に固定している。
消火作業の際には、消火栓扉を開放して、消火用ノズルを取り外し、ホースを引き出して消火活動をする。
【先行技術文献】
【特許文献】
【０００３】
【特許文献１】特開２０１４−２１７６４６号公報
【発明の概要】
【発明が解決しようとする課題】
【０００４】
竣工当時には消火栓装置の設置対象外であったトンネルに、後から消火栓装置を設置する場合があり、この場合には消火栓装置を壁に埋め込むことができず、監査路上の車道寄りの位置に消火栓を設置する場合がある。
【０００５】
監査路上の車道寄りに消火栓装置を設置する場合、消火栓装置の前面が車道に面することになり、消火栓装置のすぐ前で事故等による火災が発生した場合や、消火栓装置のすぐ前に停車車両があった場合には、消火栓扉を開放することができず、火災に最も近い消火栓装置を操作できないという事態が生じ得る。
監査路上の車道寄りに消火栓装置を設置する場合、消火栓装置の背面側の監査路を人が通行できるので、上記のような事態を回避するには、監査路上の消火栓装置の背面側もしくは側面側から消火ノズルを取り出したいという要請がある。
また、後述するようにシールドトンネルにおいては消火栓装置を監査路内に埋め込むようにして設置したいという要請もある。
しかしながら、このような要請に応える消火栓装置は、発明者が知る限り存在しておらず、かかる消火栓装置の開発が望まれていた。
【０００６】
本発明はかかる課題を解決するものであり、消火活動を行う者が消火栓装置の前面側にいる場合に加えて監査路上にいる場合であっても消火ノズルを取り出すことができ、監査路上の車道寄りに設置されたり、監査路内に埋め込まれたりした場合においても、迅速な消火活動が可能な消火栓装置を提供することを目的としている。
【課題を解決するための手段】
【０００７】
（１）本発明に係る消火栓装置は、内巻きされたホースを収納するホース収納部及び該ホース収納部に収納されたホースを引き出すための中央開口部を備えた箱状の本体と、該本体の前面に設けられると共に前記中央開口部の前方に開口部を有する前面パネルと、該前面パネルの開口部に開閉可能に設けられた消火栓扉と、該消火栓扉の背面側又は前記本体内に設けられて消火ノズルを着脱可能に固定するノズル固定部を備えた消火栓装置において、
前記前面パネルを、その下辺を支点として前方に傾動可能に構成すると共に、前記前面パネルが前記本体の前記中央開口部を閉鎖した状態を保持し、かつ該保持を解除可能に設けられた前面パネル保持機構と、前記前面パネルが下辺を支点として所定の角度で傾動した状態を保持する傾動状態保持機構を設けたことを特徴とするものである。
【０００８】
（２）また、上記（１）に記載のものにおいて、前記傾動状態保持機構は、一端側が前記本体に固定され、他端側が前記前面パネルに固定された、紐、鎖、又はリンク部材からなることを特徴とするものである。
【０００９】
（３）また、上記（１）又は（２）に記載のものにおいて、前記ホースに消火水を供給する消火水供給管路に設けられた消火栓弁と、前記消火栓弁を開閉操作する消火栓弁操作部とを備え、前記消火栓弁操作部は前記前面パネルを前方に所定の角度で傾動させたときに前記前面パネルと前記本体との間に形成される隙間から操作可能であることを特徴とするものである。
【００１０】
（４）また、上記（１）乃至（３）のいずれかに記載のものにおいて、前記本体における背面側に設けられて、少なくとも消火器が取り出せる大きさの背面消火器扉を設けたことを特徴とするものである。
【発明の効果】
【００１１】
本発明においては、消火栓装置の前面側に設けた消火栓扉に加えて前面パネルを、その下辺を支点として前方に傾動可能に構成すると共に、前記前面パネルが前記本体の前記中央開口部を閉鎖した状態を保持し、かつ該保持を解除可能に設けられた前面パネル保持機構と、前記前面パネルが下辺を支点として所定の角度で傾動した状態を保持する傾動状態保持機構を設けたことにより、消火栓装置を監査路の車道寄りの位置に設置した場合や監査路内に埋め込んで設置した場合において、消火栓装置の前面で火災が発生する等して消火栓装置の前面側から消火栓扉を開けることができない状況でも、前記前面パネルを前方に傾動させて前記前面パネルと本体との間に形成される隙間から消火ノズルを取り出して消火活動ができる。そのため、火災現場に最も近い位置にある消火栓装置を迅速に活用することができ、火災の拡大を防止できる。
【図面の簡単な説明】
【００１２】
【図１】本発明の一実施の形態に係る消火栓装置の正面図である。
【図２】図１に示した消火栓装置の前傾式扉を開けた状態を示す図である。
【図３】図１に示した消火栓装置の平面図である。
【図４】図１に示した消火栓装置の側面図である。
【図５】図１に示した消火栓装置の背面図である。
【図６】図１に示した消火栓装置の前面パネルを前方に傾動させた状態を示す図である。
【図７】図１に示した消火栓装置の設置例を示す図である。
【図８】本発明の一実施の形態に係る消火栓装置における前面パネル保持機構の他の態様の説明図である。
【図９】本発明の一実施の形態に係る消火栓装置の設置例の他の態様の説明図である。
【発明を実施するための形態】
【００１３】
本実施の形態に係る消火栓装置１は、図１〜図６に示すように、箱状の本体３と、本体３の前面に設けられた開口部５ａを有する前方に傾動可能な前面パネル５と、前面パネル５の開口部５ａに開閉可能に設けられた消火栓扉に相当する前傾式扉７と、前面パネル５が本体３の中央開口部を閉鎖した状態を保持し、かつ該保持を解除可能に設けられた前面パネル保持機構としてのパネル開閉レバー８と、前面パネル５が下辺を支点として所定の角度で傾動した状態を保持する傾動状態保持機構１１（図６参照）と、本体３における背面側に設けられて消火器１４（図３参照）を背面側から取り出し可能にする背面消火器扉１２（図５参照）を備えている。なお、ここで消火栓装置１は、図７における車道３３側を前面、トンネル３５の壁面側を背面としている。
以下、各構成を詳細に説明する。
【００１４】
＜本体＞
本体３は、図１〜図３に示すように、矩形の箱状からなる筺体を有し、筺体内には内巻きに巻き回されたホース１３を収納するホース収納部１５及びホース収納部１５に収納されたホース１３を引き出すための中央開口部１７が設けられている。また、筐体内には、ホース収納部１５の右側に、消火栓弁や自動調圧弁を有する配管系統１９が設けられている。配管系統１９は、先端側がホース１３の基端側と接続されるとともに、基端側が図示しない給水源に接続されている。
【００１５】
また、本体３の図中右側面の上部には、前面パネル５が中央開口部１７の閉鎖状態を保持し、また該保持を解除可能に設けられた前面パネル保持機構としてのパネル開閉レバー８が設けられている。
パネル開閉レバー８における本体３の内部側には、前面パネル５と係止する係止部（図示なし）が設けられ、該係止部は前面パネル５が閉止状態では前面パネルと係止して前面パネル５の閉止状態を保持する。パネル開閉レバー８を回動させることで、前記係止が外れて前面パネル５は前方側に傾動可能になる。
【００１６】
《ホース収納部》
ホース収納部１５は、本体３の内壁上面から内壁下面に至る２本の棒状体２１と、棒状体２１から本体３の内壁背面に至る略Ｌ字状に屈曲した２枚の帯板２３とを備えて構成されている。
そして、２本の棒状体２１の間に中央開口部１７が形成され、ここからホース１３が引き出される。
【００１７】
また、図１〜図３に示すように、本体３の図中左側には、消火器１４を収納するための消火器収納部１６が設けられている。
【００１８】
＜前面パネル＞
前面パネル５は、本体３の前面に設けられ、中央開口部１７の前方に位置する部位が開口しており、この開口部５ａを開閉可能に前傾式扉７が取り付けられ、また前面パネル５の左側には消火器扉６が開閉可能に設けられている。
前面パネル５の下辺には蝶番１０が設けられており、前面パネル５は下辺を支点として前方に傾動可能に構成されている。
【００１９】
また、前面パネル５を所定の傾動角度で保持する傾動状態保持機構１１が設けられている（図６参照）。なお、傾動状態保持機構１１としては、図６に示すように、一端側が本体３に固定され、他端側が前面パネル５に固定された鎖でもよいし、鎖に代えて、例えば紐、又はリンク部材等でもよい。
なお、所定の傾動角度としては、操作レバー２９を操作することができ、かつ本体３内部の消火ノズル２５を取り出すことができる隙間が形成できる程度とし、傾動角度が大きすぎると車道３３側（図７参照）に突出して邪魔になるので、４５°程度を上限とするのが望ましい。
【００２０】
＜前傾式扉＞
前傾式扉７は板状の金属板から構成された横長の矩形状をしており、上述のように前面パネル５の開口部５ａを開閉可能に取り付けられている。
前傾式扉７は、下辺両端に回動軸（蝶番３０）が設けられ、開口部５ａを閉鎖状態から、図２に示すように、略１８０°開くことができる。
前傾式扉７の背面側には、消火ノズル２５を着脱可能に固定するノズル固定部２７及び、ホース１３に消火水を供給する消火水供給管路に設けられた消火栓弁（図示なし）を開閉操作する操作レバー２９（消火栓弁操作部）が設けられている。
なお、前傾式扉７におけるノズル固定部２７に対応する箇所は透明なアクリル板が設置されており、前傾式扉７の背面側に着脱可能に固定されている消火ノズル２５が見える。
【００２１】
《ノズル固定部》
ノズル固定部２７は、ホース１３の収納時において、ホース１３の先端に設けられた消火ノズル２５を固定するものであり、例えば、ノズルキャッチャーと言われるＣ型の係止片２７ａによって構成されている。そして、図２に示すように、消火ノズル２５を、その軸芯方向が前傾式扉７の幅方向と略平行となるように固定している。
【００２２】
＜背面消火器扉＞
背面消火器扉１２は、本体３における背面側に設けられて消火器１４を背面側から取り出し可能にするための扉である（図５参照）。この背面消火器扉１２は、開扉することで消火器１４が取り出せる大きさの開口が設けられるようにすればよく、必ずしも前面側の消火器扉６と同じ大きさである必要はない。
なお、前面パネル５を前方に傾動させることで、消火器１４を側方から取り出すことができる場合には背面消火器扉１２を設けなくてもよい。
【００２３】
以上のように構成された本実施の形態の消火栓装置１は、竣工後にトンネル３５内に設置される場合、図７に示すように、監査路３７の車道３３寄りの位置に設置される。なお、図７において、給水配管等は監査路３７内または、監査路３７上から消火栓装置１に配管されるが、これについては図示を省略している。
【００２４】
図７に示すように設置された消火栓装置１の近傍の車道３３側で火災が発生した場合、
消火栓装置１の正面において作業が可能な状態の場合には、操作者は、車道３３側から前傾式扉７を前面側（車道３３側）に倒して開扉し、前傾式扉７が図２の略１８０°回転した状態にする。
【００２５】
そして、操作者は、操作レバー２９を操作して消火栓弁を開放することでホース１３に消火水を供給するとともに、消火ノズル２５をノズル固定部２７から外して、ホース１３を火災のある方向に引き出して消火活動を行う。
【００２６】
次に、消火栓装置１の真正面直近で火災が発生した場合、操作者は、消火栓装置１の前面側に行くことができないので、監査路３７上から消火栓装置１の側面側に行き、パネル開閉レバー８を操作して、前面パネル５の保持状態を解除して前面パネル５を開扉する。このとき、図６に示すように、操作レバー２９は前面パネル５の内側に確認することができる。操作者は、側面側から本体３内に手を入れて、操作レバー２９を操作して消火栓弁を開放することでホース１３に消火水を供給するとともに、消火ノズル２５をノズル固定部２７から外して、ホース１３を火災のある方向に引き出して消火活動を行う。
また、消火器１４が必要な場合には、前面パネル５と本体３の隙間から消火器１４を取り出すか、あるいは消火栓装置１の背面側から背面消火器扉１２を開放して消火器１４を取り出して消火活動をすることもできる。
【００２７】
以上のように、本実施の形態の消火栓装置１によれば、消火栓装置１を監査路３７の車道３３寄りの位置に設置した場合において、消火栓装置１の正面で火災が発生等して消火栓装置１の正面側から前傾式扉７を開けることができない状況でも、前面パネル５を傾動させて消火ノズル２５を取り出して消火活動ができる。そのため、火災現場に最も近い位置にある消火栓装置１を迅速に活用することができ、火災の拡大を防止できる。
【００２８】
なお、上記の説明では、前面パネル保持機構の例としてパネル開閉レバー８を例示したが、前面パネル保持機構はこれに限られるものではなく、例えば図８に示すようなキャッチクリップ３９や、あるいはパチン錠のようなものであってもよく、要するに前面パネル５が本体３の中央開口部１７を閉鎖した状態を保持し、かつ該保持を解除可能に設けられたものであればよい。
また、前面パネル保持機構の取付位置も本体３の側面に限定されず、上面側でもよく、数量も１個（１カ所）に限定されず、複数であってもよい。
【００２９】
なお、上記の説明では、前面パネル５を傾動させて本体３内に操作者が手を入れて操作レバー２９を操作する例を示したが、例えば消火ノズル２５に操作ボタンを消火栓弁操作部として取り付け、消火栓弁を電動弁とし、無線により電動弁を遠隔操作で開閉できるようにしておけば、消火ノズル２５を取り出すだけでよく、より迅速な消火活動ができる。
【００３０】
また、上記の説明では、前面側の消火栓扉として前傾式扉７を例に挙げて説明したが、消火栓扉としては左右方向にスライドするスライド扉、上辺側を軸として回動する跳ね上げ式の扉など、その他の開閉方法による扉であってもよい。
【００３１】
また、ノズル固定部２７（消火ノズル２５）と消火栓弁操作部（操作レバー２９）とを前傾式扉７の背面側に配置する例を示したが、前傾式扉７などの消火栓扉や、前面パネル５を傾動させた状態で操作者が消火ノズル２５を取り出せ、消火栓弁操作部を操作できればよく、前傾式扉７などの消火栓扉の背面側以外に配置してもよい。
例えば、前面側の開口部５ａおよび前面パネル５を傾動させた状態で操作可能な本体３の内部に配置してもよいし、ホース収納部１５の中央開口部１７内に配置してもよい。また、上述したとおり、消火ノズル２５に操作ボタンを設け、無線操作にて消火栓弁を開閉できるようにしてもよい。
また、前面パネル５の傾動は、消火器収納部１６を本体側に残して傾動してもよい。
なお、上記の説明において蝶番１０は前面パネル５の下辺に設けられているが、前面パネル５を下辺付近で上下２段に分割する場合には、この分割部（上段側の下辺）に蝶番１０を設ければよい。
【００３２】
上記の説明では、消火栓装置１を監査路の路面における車道寄りの位置に設置した場合について説明したが、本実施の形態に係る消火栓装置１はトンネル内の監査路の下に埋め込むように設置した場合にも好適である点について以下説明する。
【００３３】
最近の大口径のトンネルはシールド工法によって構築されることが多く、この場合、トンネルの壁面がトンネルの掘削と同時に鋼製のセグメントで構築されるため、トンネル壁面にいわゆる箱抜きをすることができない。
そのため、消火栓装置１の本体３の設置場所として、監査路内に埋め込むようにして設置することが考えられる。
【００３４】
図９は、消火栓装置を監査路内に埋め込むようにして設置した場合の態様を説明する説明図であり、シールドトンネル４１の軸直交断面の半分を模式的に図示している。図９に示す設置態様では、消火栓装置１の本体３は監査路３７内に設置すると共に、消火栓装置１から消火栓弁と自動調圧弁と自動排水弁が一体化した消火栓弁ユニット４３を本体３の外部に取り出し、車道４５の下方の下部空間４７に配置し、配水本管４８の分岐管に消火栓弁の一次側を接続し、自動調圧弁の二次側と本体３内の配管系統１９をフレキシブルホース４９で接続するようにしている。
【００３５】
消火栓装置１を監査路３７内に埋め込んだ場合、上述したように消火栓装置１を監査路３７の路面における車道寄りの位置に設置した場合と同様に消火栓装置１の正面が車道４５に面することになるため、仮に火災が消火栓装置１の直ぐ前で発生したような場合や、消火栓装置１の本体３のすぐ前に車が停車している場合には正面側からは前傾扉７を開けることができずホース１３を引き出すことができない事態が想定される。
このような事態であっても、本実施の形態１の消火栓装置１であれば、監査路３７の路面から前面パネル５を開けることができ、迅速な消火活動ができる。なお、この時には、パネル開閉レバー８またはキャッチクリップ３９を前面パネル５の前面側としてもよい。
【符号の説明】
【００３６】
１  消火栓装置
３  本体
５  前面パネル
５ａ  開口部
６  消火器扉
７  前傾式扉
８  パネル開閉レバー
１０  蝶番
１１  傾動状態保持機構
１２  背面消火器扉
１３  ホース
１４  消火器
１５  ホース収納部
１６  消火器収納部
１７  中央開口部
１９  配管系統
２１  棒状体
２３  帯板
２５  消火ノズル
２７  ノズル固定部
２７ａ  係止片
２９  操作レバー
３０  蝶番
３３  車道
３５  トンネル
３７  監査路
３９  キャッチクリップ
４１  シールドトンネル
４３  消火栓弁ユニット
４５  車道
４７  下部空間
４８  配水本管
４９  フレキシブルホース
【図１】
0006568794.tif 000002
【図２】
0006568794.tif 000003
【図３】
0006568794.tif 000004
【図４】
0006568794.tif 000005
【図５】
0006568794.tif 000006
【図６】
0006568794.tif 000007
【図７】
0006568794.tif 000008
【図８】
0006568794.tif 000009
【図９】
0006568794.tif 000010